(57)【要約】【課題】  保護パネルを取り扱い易くして、分岐線の繋ぎ込みや保守点検の際の作業性が向上する幹線分岐盤を提供する。【解決手段】  分岐盤本体８内に、母線１０Ａ〜１０Ｃと、配線用遮断器１７と、分岐導体２３Ｌ，２３Ｒと、上記配線用遮断器１７の操作部１７ａを操作可能に露出させて状態で上記分岐盤本体８の外面側を覆う保護パネルとを備えた幹線分岐盤１において、上記保護パネルは、上記母線１０Ａ〜１０Ｃと分岐導体２３Ｌ，２３Ｒと配線用遮断器１７の一次側端子１７ｂとの前面側を覆う第１保護パネル２と、上記配線用遮断器１７の二次側端子１７ｃの前面側と側面側とを覆う第２保護パネル３とで構成されて、第２保護パネル３は、第１保護パネル２近傍部の上フレーム６と下フレーム７とにヒンジ部３ｃ，６ｂ，７ｂで開閉自在に支持されている。【選択図】  図１
2005073370.tif 000002
【特許請求の範囲】
【請求項１】
複数の縦フレームと、各縦フレームの上端を連結する上フレームと、各縦フレームの下端を連結する下フレームとで分岐盤本体が構成され、この分岐盤本体内に、上下方向に延設された複数の母線と、この母線の前方に配設され、一次側端子を上記母線側に向けて上下方向に並設された複数の配線用遮断器と、この配線用遮断器の一次側端子をそれぞれ上記母線に電気的に接続する分岐導体と、上記配線用遮断器の操作部を操作可能に露出させる状態で上記分岐盤本体の外面側を覆う保護パネルとを備えた幹線分岐盤において、
上記保護パネルは、上記母線と分岐導体と配線用遮断器の一次側端子との前面側を覆う第１保護パネルと、上記配線用遮断器の二次側端子の前面側と側面側とを覆う第２保護パネルとで構成されて、第２保護パネルは、第１保護パネル近傍部の上フレームと下フレームとにヒンジ部で開閉自在に支持されていることを特徴とする幹線分岐盤。
【発明の詳細な説明】
【技術分野】
【０００１】
本発明は、配線用遮断器を有する幹線分岐盤に関する。
【背景技術】
【０００２】
一般に、幹線分岐盤は、複数の縦フレームと、各縦フレームの上端を連結する上フレームと、各縦フレームの下端を連結する下フレームとで分岐盤本体が構成され、この分岐盤本体内に、上下方向に延設された複数の母線と、この母線の前方に配設され、一次側端子を上記母線側に向けて上下方向に並設された複数の配線用遮断器と、この配線用遮断器の一次側端子をそれぞれ上記母線に電気的に接続する分岐導体と、上記配線用遮断器の操作部を操作可能に露出させる状態で上記分岐盤本体の外面側を覆う保護パネルとを備えている。
【０００３】
そして、上記保護パネルは、分岐盤本体の前面側を覆う前面保護パネルと側面側を覆う側面保護パネルとで構成されて、各保護パネルは、ねじで分岐盤本体にねじ止めしている。
【０００４】
なお、制御盤や配電盤では、前面のパネルのみをヒンジ部で開閉自在に支持するものがある（例えば特許文献１、２参照）。
【特許文献１】特開平１１−２７５７１７号公報
【特許文献２】特開平７−８７６２８号公報
【発明の開示】
【発明が解決しようとする課題】
【０００５】
しかしながら、従来の幹線分岐盤では、負荷に接続する分岐線を配線用遮断器の二次側端子に繋ぎ込む作業を行う場合、前面保護パネルと側面保護パネルとを取外して、配線用遮断器の二次側端子部分のスペースを広くしてから、分岐線を分岐盤本体の天面部や底面部に形成した開口部から引込んで繋ぎ込み、この繋ぎ込み作業が終了すると、再び前面保護パネルと側面保護パネルとを取付けることになる。
【０００６】
従って、従来の幹線分岐盤では、分岐線の繋ぎ込み時や保守点検時には、前面保護パネルと側面保護パネルとをそれぞれ別々に取付け・取外しを行うものであることから、前面保護パネルと側面保護パネルとの取付け・取外しに手間がかかって、分岐線の繋ぎ込みや保守点検の際の作業性が悪いという問題があった。
【０００７】
本発明は、上記問題を解決するためになされたもので、保護パネルを取り扱い易くして、分岐線の繋ぎ込みや保守点検の際の作業性が向上する幹線分岐盤を提供するものである。
【課題を解決するための手段】
【０００８】
上記課題を解決するために、本発明は、複数の縦フレームと、各縦フレームの上端を連結する上フレームと、各縦フレームの下端を連結する下フレームとで分岐盤本体が構成され、この分岐盤本体内に、上下方向に延設された複数の母線と、この母線の前方に配設され、一次側端子を上記母線側に向けて上下方向に並設された複数の配線用遮断器と、この配線用遮断器の一次側端子をそれぞれ上記母線に電気的に接続する分岐導体と、上記配線用遮断器の操作部を操作可能に露出させる状態で上記分岐盤本体の外面側を覆う保護パネルとを備えた幹線分岐盤において、
上記保護パネルは、上記母線と分岐導体と配線用遮断器の一次側端子との前面側を覆う第１保護パネルと、上記配線用遮断器の二次側端子の前面側と側面側とを覆う第２保護パネルとで構成されて、第２保護パネルは、第１保護パネル近傍部の上フレームと下フレームとにヒンジ部で開閉自在に支持されていることを特徴とする幹線分岐盤を提供するものである。
【発明の効果】
【０００９】
本発明によれば、第２保護パネルを上フレームと下フレームとにヒンジ部で開閉自在に支持しているから、第２保護パネルを開くと、分岐線を接続する配線用遮断器の二次側端子付近が大きく開放されるので、二次側端子に分岐線を繋ぎ込む作業や保守点検が行い易くなる。また、第２保護パネルを閉じると、分岐線の繋ぎ込み部の前面側と側面側とが覆われて、安全性が高まるとともに見栄えが向上するようになる。
【発明を実施するための最良の形態】
【００１０】
以下、本発明を実施するための最良の形態について、図面を参照しながら詳細に説明する。
【実施例１】
【００１１】
図１は、保護パネル２，３を取付けた開放型幹線分岐盤１であり、（ａ）は平面図、（ｂ）は正面図、（ｃ）は右側面図である。図２は、保護パネル２，３を取外した開放型幹線分岐盤１であり、（ａ）は平面図、（ｂ）は正面図、（ｃ）は右側面図であり、図３は、図２（ｂ）の背面図である。
【００１２】
図４の平面断面図を参照すれば、幹線分岐盤１は、複数本（本実施例では４本）の縦フレーム５（Ａ〜Ｄ）と、各縦フレーム５（Ａ〜Ｄ）の上端を連結するパネル状上フレーム６と、各縦フレーム５（Ａ〜Ｄ）の下端を連結するパネル状下フレーム７とで構成された縦長長方形状の分岐盤本体８を備えている。
【００１３】
後側縦フレーム５Ｃ，５Ｄは、上・下フレーム６，７の後縁部と左右側縁部との角部分に位置するとともに、前側縦フレーム５Ａ，５Ｂは、上・下フレーム６，７の前縁部よりも奥まった左右側縁部に位置するようにしている。
【００１４】
上記分岐盤本体８の内部には、左側縦フレーム５Ａ，５Ｃと右側縦フレーム５Ｂ，５Ｄとの間で、前側縦フレーム５Ａ，５Ｂよりも後方に位置して、上下方向に延設された３相の母線１０（Ａ〜Ｃ）が設けられ、この各母線１０（Ａ〜Ｃ）は、それぞれ前後方向と左右方向とにずらして階段状に配設されている。
【００１５】
この各母線１０（Ａ〜Ｃ）の配設位置に対応する上フレーム６の下面と下フレーム７の上面には、図４および図５（ａ）の背面図、図５（ｂ）の側面図を参照すれば、各母線１０（Ａ〜Ｃ）毎に独立した絶縁性のＬ型のブラケット１１がボルト・ナット１２でそれぞれ固定されている。
【００１６】
上記各母線１０（Ａ〜Ｃ）は、左右一対の導電材１０ａ，１０ｂの間に上下方向のスリット（隙間）１０ｃを形成した状態で、上端部と下端部とが対応する上記ブラケット１１にそれぞれ後方から当てがわれて、各母線１０（Ａ〜Ｃ）の後面に嵌め込まれた回り止め金具２５で回り止めされたボルト２６は、上記スリット１０ｃから各ブラケット１１の貫通穴を挿通して前方に突出され、この突出したボルト２６に前方からナット２７をねじ込むことにより、各母線１０（Ａ〜Ｃ）の上端部と下端部とが各ブラケット１１にそれぞれ固定されるようになる。
【００１７】
上記各母線１０（Ａ〜Ｃ）には、電源側入口導体１５〔図２（ａ）参照〕がそれぞれ電気的に接続されている。
【００１８】
上記左右の前側縦フレーム５Ａ，５Ｂの前面には、それぞれ複数個（本実施例では左右各１１個）の配線用遮断器１７がスイッチ（操作部）１７ａを横向きに操作する状態で、上下方向に所定の隙間を隔てて並設され、各配線用遮断器１７は、引っ掛け部１９およびねじ１９ａにて取付けられた取付け台１８（図４参照）を介して前側縦フレーム５Ａ，５Ｂの前面に固定ねじ（不図示）でそれぞれ固定されている。上記各隙間には、左右方向に突出する絶縁バリアを取付け可能な絶縁バリア取付け具兼スぺーサ４０が介設されて、そのスぺーサ機能によって内部の雑物を目隠しできるようになる。
【００１９】
上記左前側縦フレーム５Ａの各配線用遮断器１７は、３箇所の一次側端子１７ｂが右側（内側）に向けられ、二次側端子１７ｃが左側（外側）に向けられるとともに、上記右前側縦フレーム５Ｂの各配線用遮断器１７は、３箇所の一次側端子１７ｂが左側（内側）に向けられ、二次側端子１７ｃが右側（外側）に向けられている。
【００２０】
上記左側の各配線用遮断器１７の各一次側端子１７ｂには、図４の平面視で逆Ｚ字状に折曲させた分岐導体２３Ｌの一端部がボルト２４でそれぞれ固定されて電気的に接続されるとともに、上記右側の各配線用遮断器１７の各一次側端子１７ｂには、図４の平面視でＺ字状に折曲させた分岐導体２３Ｒの一端部がボルト２４でそれぞれ固定されて電気的に接続されている。
【００２１】
上記左側の各配線用遮断器１７の各分岐導体２３Ｌの他端部は、対応する母線１０（Ａ〜Ｃ）にそれぞれ前方から当てがわれるとともに、上記右側の各配線用遮断器１７の各分岐導体２３Ｒの他端部は、対応する分岐導体２３Ｌの他端部にそれぞれ前方から当てがわれるようになる。
【００２２】
そして、各母線１０（Ａ〜Ｃ）の後面に嵌め込まれた回り止め金具２５で回り止めされたボルト２６は、上記スリット１０ｃから各分岐導体２３Ｌ，２３Ｒの他端部の貫通穴を挿通して前方に突出され、この突出したボルト２６に前方からナット２７をねじ込むことにより、各母線１０（Ａ〜Ｃ）に各分岐導体２３Ｌ，２３Ｒの他端部が固定されて電気的に接続されるようになる。
【００２３】
図６に詳細に示すように、上記各配線用遮断器１７の二次側端子１７ｃの上下方向の間隔ｔは予め設定されていて、圧着端子を電気的に接続する場合には、上下位置の圧着端子が相互に干渉しないように、配線用遮断器の製造業者が指定したサイズの圧着端子のみが接続可能である。
【００２４】
しかしながら、太い分岐線３７を使用するために、指定サイズより大きいサイズの圧着端子３５を接続したいような場合が生じる。
【００２５】
そこで、上記各配線用遮断器１７の各二次側端子１７ｃに圧着端子３５を直接接続しないで、繋ぎ導体３４（Ａ，Ｂ）を介して接続する。
【００２６】
すなわち、上記繋ぎ導体３４（Ａ，Ｂ）には、直線状の繋ぎ導体３４ＡとＺ字状に屈曲させた繋ぎ導体３４Ｂとが設けられて、各配線用遮断器１７の各二次側端子１７ｃには、上下方向に交互に、図６では、Ｚ字状の繋ぎ導体３４Ｂ、直線状の繋ぎ導体３４Ａ、Ｚ字状の繋ぎ導体３４Ｂ、…の順に、各繋ぎ導体３４Ａ，３４Ｂの一端部３４ａをボルト２８で固定して電気的に接続する。
【００２７】
これにより、上下方向に隣り合う繋ぎ導体３４Ａ，３４Ｂの他端部３４ｂは、奥行き方向に互い違いとなる。
【００２８】
そして、奥行き方向に互い違いとなった繋ぎ導体３４Ａ，３４Ｂの他端部３４ｂに、指定サイズより大きいサイズの圧着端子３５を介してボルト・ナット３６でそれぞれ固定して電気的に接続すると、上下位置の圧着端子３５が相互に干渉しなくなる。
【００２９】
図７に詳細に示すように、上記分岐盤本体８の前面側には、左右の配線用遮断器１７の内側面との間および上フレーム６の下面と下フレーム７の上面との間に嵌め込まれる第１保護パネル２が設けられ、この第１保護パネル２は、下縁部の位置決めピン３１を下フレーム７の上面に形成した位置決め穴７ａに差し込んだ状態で、上縁部が上フレーム６のねじ穴６ａにボルト３０で着脱可能に固定されて、上記母線１０（Ａ〜Ｃ）と分岐導体２３Ｌ，２３Ｒと配線用遮断器１７の一次側端子１７ｂとの前面側を覆うようになる。
【００３０】
この第１保護パネル３１は、ボルト３０を抜き外し、上縁部を手前に僅かに引いて上方に持ち上げながら下フレーム７の位置決め穴７ａから位置決めピン３１を抜き取ることで、分岐盤本体８から取外すことが可能である。
【００３１】
また、左右の配線用遮断器１７の外側面および上記上フレーム６の下面と下フレーム７の上面との間に嵌め込まれて、分岐盤本体８から側方に突出する前面部３Ａと、この前面部３Ａの外端から後方に折曲された側面部３Ｂとを有する左右の第２保護パネル３が設けられ、この各第２保護パネル３の前面部３Ａの上部と下部の内端には、上フレーム６と下フレーム７に沿って、一段目の配線用遮断器１７の上方と１１段目の配線用遮断器１７の下方とを上記第１保護パネル２の側縁近傍まで延在する上下アーム部３ａ，３ｂがそれぞれ形成されている。
【００３２】
この各アーム部３ａ，３ｂの先端にはヒンジピン３ｃがそれぞれ設けられ、この各ヒンジピン３ｃを上記上フレーム６の下面と下フレーム７の上面とに形成したヒンジ穴６ｂ，７ｂに差し込むことにより、第２保護パネル３が上フレーム６と下フレーム７とにヒンジピン３ｃにより開閉自在に支持されて、閉じ位置〔図１（ａ）の実線参照〕では、上記配線用遮断器１７の二次側端子１７ｃの前面側と側面側とを覆うとともに、開き位置〔図１（ａ）の二点鎖線参照〕では、上記配線用遮断器１７の二次側端子１７ｃの前面側と側面側とを開くようになる。
【００３３】
この第２保護パネル３は、閉じ位置では、上フレーム６と下フレーム７とのねじ穴６ｃ，７ｃにボルト３２で固定されて、このボルト３２を抜き外すことで開き操作可能になるとともに、この開き操作可能な状態で、バネ圧により突出したヒンジピン３ｃを引き下げながら、上フレーム６のヒンジ穴６ｂからヒンジピン３ｃを抜き取り、上縁部を手前に引き、ついで、下フレーム７のヒンジ穴７ｂからヒンジピン３ｃを抜き取ることで、分岐盤本体８から取外すことが可能である。
【００３４】
上記第１保護パネル２と第２保護パネル３は、各配線用遮断器１７のスイッチ（操作部）１７ａを操作可能に露出させた状態で分岐盤本体８の前面側と側面側とを覆うものであり、１段目の配線用遮断器１７と第２保護パネル３の上アーム部３ａとの間は、ブランクカバー３３で覆われている。
【００３５】
上記のように構成した幹線分岐盤１によれば、第２保護パネル３を上フレーム６と下フレーム７とにヒンジピン３ｃとヒンジ穴６ｂ，７ｂとでなるヒンジ部で開閉自在に支持しているから、第２保護パネル３を開くと、分岐線３７の圧着端子３５を接続する配線用遮断器１７の二次側端子１７ｃ付近が大きく開放されるので、二次側端子７ｃに分岐線３７を繋ぎ込む作業や保守点検が行い易くなる。また、第２保護パネル３を閉じると、分岐線３７の繋ぎ込み部の前面側と側面側とが覆われて、安全性が高まるとともに見栄えが向上するようになる。
【００３６】
上記実施例は、分岐盤本体８の両側に配線用遮断器１７を設けたタイプであったが、分岐盤本体８のいずれか片側に配線用遮断器１７を設けたタイプであっても良い。
【図面の簡単な説明】
【００３７】
【図１】保護パネルを取付けた幹線分岐盤であり、（ａ）は平面図、（ｂ）は正面図、（ｃ）は右側面図である。
【図２】保護パネルを取外した幹線分岐盤であり、（ａ）は平面図、（ｂ）は正面図、（ｃ）は右側面図である。
【図３】図２（ｂ）の背面図である。
【図４】幹線分岐盤の平面断面図である。
【図５】母線の固定構造であり、（ａ）は背面図、（ｂ）は側面図である。
【図６】繋ぎ導体と圧着端子との位置関係を示すもので、（ａ）は平面図、（ｂ）は正面図、（ｃ）は側面図である。
【図７】第１保護パネルと第２保護パネルの分解斜視図である。
【符号の説明】
【００３８】
１      幹線分岐盤
２      第１保護パネル
３      第２保護パネル
３Ａ    前面部
３Ｂ    側面部
３ｃ    ヒンジピン（ヒンジ部）
５Ａ〜５Ｄ  縦フレーム
６      上フレーム
６ｂ    ヒンジ穴（ヒンジ部）
７      下フレーム
７ｂ    ヒンジ穴（ヒンジ部）
８      分岐盤本体
１０Ａ〜１０Ｃ  母線
１７    配線用遮断器
１７ａ  スイッチ（操作部）
１７ｂ  一次側端子
１７ｃ  二次側端子
２３Ｌ，２３Ｒ  分岐導体
【図１】
2005073370.tif 000003
【図２】
2005073370.tif 000004
【図３】
2005073370.tif 000005
【図４】
2005073370.tif 000006
【図５】
2005073370.tif 000007
【図６】
2005073370.tif 000008
【図７】
2005073370.tif 000009